(57)【要約】【課題】  遊技盤を持ちやすくして、支持枠に対して着脱しやすくする。【解決手段】  遊技機１１は、遊技部品が配設された遊技面１９を有する遊技盤１５と、遊技盤１５を支持する支持枠１４と、遊技盤１５を支持枠１４に着脱可能に取り付ける着脱手段３０と、を備え、遊技盤１５を支持枠１４に取り付けるとき、指、工具等で前記遊技盤を保持する保持部２１，２２，２３，２４を遊技盤１５の前面側に設けてある。作業員は、保持部に指や工具を掛けて、遊技盤を支持枠に対して着脱する。【選択図】      図６
2005245769.tif 000002
【特許請求の範囲】
【請求項１】
遊技部品が配設された遊技面を有する遊技盤と、
前記遊技盤を支持する支持枠と、
前記遊技盤を前記支持枠に着脱可能に取り付ける着脱手段と、を備え、
前記遊技盤を前記支持枠に取り付けるとき、指、工具等で前記遊技盤を保持する保持部を前記遊技盤の前面側に設けたことを特徴とする遊技機。
【請求項２】
前記保持部が、前記遊技面の縁と前記遊技盤の外周縁との間の領域に設けられていることを特徴とする請求項１に記載の遊技機。
【請求項３】
前記保持部が、前記遊技盤の中間部の両側に複数設けられていることを特徴とする請求項１又は２に記載の遊技機。
【請求項４】
前記保持部が、前記遊技盤の厚み内に形成された凹部であることを特徴とする請求項１乃至３のいずれか１項に記載の遊技機。
【請求項５】
複数の前記保持部の内、少なくとも１つの保持部は、当該保持部を開閉する開閉蓋を有し、前記開閉蓋に当該保持部の位置を報せる報知部を設けてあることを特徴とする請求項３又は４に記載の遊技機。
【請求項６】
前記報知部が、機種名等が記載されたラベルであることを特徴とする請求項５に記載の遊技機。
【発明の詳細な説明】
【技術分野】
【０００１】
本発明は、遊技面を有する遊技盤を、遊技盤を支持する支持枠に取り付け易くした遊技機に関する。
【背景技術】
【０００２】
従来、遊技機、例えばパチンコ機は、遊技媒体としてのパチンコ球が入る入賞口、遊技性を高める液晶表示盤等の遊技部品を有する遊技盤を備えている。この遊技盤は、支持枠としての前面枠に対して組み立てやすくすることと、遊技盤のメンテナンスをしやすくすること等のために、前面枠に着脱自在に設けてある（特許文献１参照）。
【０００３】
【特許文献１】特開２００１−３２１５２８号公報
【発明の開示】
【発明が解決しようとする課題】
【０００４】
ところが、最近のパチンコ機は、遊技性を高めるため、複雑な構成の遊技部品を遊技盤に設けてあることが多く、遊技盤が重くなる傾向にある。このため、遊技盤を前面枠に対して着脱するとき、遊技部品に損傷を与えることなく、遊技盤を持って取り扱うことが作業員にとって困難になってきている。
【０００５】
本発明は、遊技盤を持ちやすくして、支持枠に対して着脱しやすくした遊技機を提供することを目的としている。
【課題を解決するための手段】
【０００６】
請求項１に係る発明は、遊技部品が配設された遊技面を有する遊技盤（１５）と、前記遊技盤（１５）を支持する支持枠（１４）と、前記遊技盤（１５）を前記支持枠（１４）に着脱可能に取り付ける着脱手段と、を備え、前記遊技盤（１５）を前記支持枠（１４）に取り付けるとき、指、工具等で前記遊技盤を保持する保持部（２１，２２，２３，２４）を前記遊技盤（１５）の前面側に設けたことを特徴とする遊技機（１１）である。
【０００７】
請求項２に係る発明は、前記保持部（２１，２２，２３，２４）が、前記遊技面（１９）の縁（１９ａ）と前記遊技盤（１５）の外周縁（１５ａ）との間の領域（２５）に設けられていることを特徴とする請求項１に記載の遊技機（１１）である。
【０００８】
請求項３に係る発明は、前記保持部（２１，２２，２３，２４）が、前記遊技盤（１５）の中間部の両側に複数設けられていることを特徴とする請求項１又は２に記載の遊技機（１１）である。
【０００９】
請求項４に係る発明は、前記保持部（２１，２２，２３，２４）が、前記遊技盤（１５）の厚み内に形成された凹部であることを特徴とする請求項１乃至３のいずれか１項に記載の遊技機（１１）である。
【００１０】
請求項５に係る発明は、複数の前記保持部（２１，２２，２３，２４）の内、少なくとも１つの保持部は、当該保持部を開閉する開閉蓋（２６）を有し、前記開閉蓋（２６）に当該保持部の位置を報せる報知部（３４）を設けてあることを特徴とする請求項３又は４に記載の遊技機である。
【００１１】
請求項６に係る発明は、前記報知部が、機種名等が記載されたラベルであることを特徴とする請求項５に記載の遊技機である。
【００１２】
なお、括弧内の符号は、便宜的に、図面と対照し易くするために付したものであって、本発明の構成をなんら限定するものではない。
【発明の効果】
【００１３】
請求項１に係る遊技機は、作業員が遊技盤を支持枠に取り付けるとき、指、工具等で前記遊技盤を保持する保持部を遊技盤の前面側に設けてあるので、遊技盤上の遊技部品に何ら手を触れることなく、遊技盤を保持することができ、したがって、遊技盤上の遊技部品を損傷することなく、速やかに、かつ容易に支持枠に対して着脱することができる。
【００１４】
請求項２に係る遊技機は、保持部が、遊技盤の遊技面の縁と遊技盤の外周縁との間の領域に設けてあるので、遊技部品の配置に制限を与えることなく、遊技盤の盤面を有効に使用することができる。
【００１５】
請求項３に係る遊技機は、保持部が、遊技盤の中間部の両側に複数設けられているので、遊技盤の重量バランスを良好に保った状態で持ちながら、遊技盤を支持枠に対して、速やかに、かつ容易に着脱を行うことができる。
【００１６】
請求項４に係る遊技機は、遊技盤の厚みを利用して保持部としての凹部を設けたので、遊技盤の厚みを厚くする必要がなく、コストの低減につなげることができる。
【００１７】
請求項５に係る遊技機は、複数の前記保持部の内、少なくとも１つの保持部に、その保持部を開閉する開閉蓋を設け、開閉蓋に保持部を報せる報知部を設けてあるので、開閉蓋を設けてある部分が保持部であることを作業員に報せることができ、これにより、作業性が大幅に向上する。
【００１８】
請求項６に係る遊技機は、開閉蓋にラベルを貼るだけで、機種名等を明確に表示して、保持部の存在を明示することができる。
【発明を実施するための最良の形態】
【００１９】
以下、本発明の実施形態の遊技機としてのパチンコ機を図に基づいて説明する。
【００２０】
図１は、本発明の実施形態の遊技機としてのパチンコ機の概略正面図である。図２は、図１のパチンコ機のガラス枠を開いたときのパチンコ機の一部分を省略した外観斜視図である。図３は、遊技盤を支持枠としての前面枠に組付けたときのパチンコ機の部分外観斜視図である。図４は、着脱機構の外観斜視図である。図５は、指掛け凹部の蓋を閉じたときの指掛け凹部周辺の部分斜視図である。図６は、遊技盤を前面枠に着脱するときの動作説明用の図である。図７は、図２中、Ａ−Ａ矢視断面図である。
【００２１】
遊技機としてのパチンコ機１１は、本体１２と、本体１２に開閉自在に設けた開閉体１３等を備えている。
【００２２】
開閉体１３は、遊技盤１５を着脱機構３０によって着脱自在に有する支持枠としての前面枠１４と、遊技盤１５を覆うガラス１６を有して遊技盤１５を開閉するガラス枠１７と、ガラス枠１７の下方で前面枠１４の下部を開閉する皿ユニット１８とを備えている。皿ユニット１８は、パチンコ球を貯留するようになっている。前面枠１４、ガラス枠１７、皿ユニット１８は、本体１２に開閉自在に設けてある。
【００２３】
遊技盤１５は、遊技媒体としてのパチンコ球が入る公知である不図示の入賞口、障害釘、遊技性を高める液晶表示盤等の遊技部品を有している。この遊技部品は、ほぼ円形の遊技面１９に配設してある。また、正面視ほぼ４角の遊技盤１５の４隅近くには、作業者が指を掛ける保持部である指掛け凹部２１，２２，２３，２４を形成してある。指掛け凹部は、１箇所であってもよい。２箇所形成する場合には、遊技盤１５の中間部の両側に形成するのが好ましい。特に、対角の位置に形成するのが好ましい。
【００２４】
指掛け凹部２１，２２，２３，２４は、遊技面１９の縁１９ａと遊技盤１５の外周縁１５ａとの間の領域としての非遊技領域２５に形成してある。下位に形成された指掛け凹部２１，２２には、蓋２６，２７を開閉自在に設けてある。指掛け凹部２１，２２には、蓋２６，２７を閉じた状態に保持するロック片２８，２９を設けてある。ロック片２８，２９は、弾性を備えている。ロック片２８は、凸部２８ａが蓋２６の凸部２６ａに係合して蓋２６を閉じた状態に保持するようになっている。また、指掛け凹部２１には、指先を受け入れる指先受け入れ部２１ａを形成してある。
【００２５】
着脱手段として着脱機構３０は、指掛け凹部２１，２２，２３，２４の底部２１ｂ，２２ｂ，２３ｂ，２４ｂに形成した縦方向に細長い貫通孔３１と、前面枠１４に回転自在に設けてある回転軸３２と、回転軸３２の先端に設けてある細長いロック片３３とで構成されている。なお、指掛け凹部２１，２２，２３，２４は、遊技盤１５の厚み内に形成され、着脱機構３０は、遊技盤１５の厚み内に収まるようになっている。
【００２６】
遊技盤１５を前面枠１４に設けるときの手順を説明する。先ず、図６に示すように４つのロック片３３を縦にして（１つは図示省略）、縦長の貫通孔３１の向きに合わせる。次に、１つの指掛け凹部、例えば右下隅の指掛け凹部２１に指を掛けて、遊技盤１５の外周縁１５ａを掴む。なお、４つの指掛け凹部２１，２２，２３，２４のいずれか２つの指掛け凹部に指を掛けてもよい。この場合、対角線の位置にある指掛け凹部（２１，２３、又は２２，２４）に指を掛けた方が遊技盤１５を持ちやすい。そして、遊技盤１５を前面枠１４に接近させて、各ロック片３３を各貫通孔３１に貫通させる。この状態で、遊技盤１５から手を放す。遊技盤１５は、各回転軸３２に吊り下げられた状態に支持される。最後に各ロック片３３を略水平に回転させると、ロック片３３は、貫通孔３１に対して交差する向きになり、遊技盤１５が回転軸３２から抜けるのを阻止する。これによって、遊技盤１５は、前面枠１４に装着されたことになる。
【００２７】
遊技盤１５を前面枠１４から取り外すときには、ロック片３３を縦にして、縦長の貫通孔３１の向きに合わせる。その後、４つの指掛け凹部２１，２２，２３，１４のいずれか２つの指掛け凹部に指を掛けて遊技盤１５を支持して手前側に引き、貫通孔３１を回転軸３２とロック片３３とから外す。これによって、遊技盤１５は、前面枠１４から取り外したことになる。
【００２８】
以上のように、本実施形態の遊技盤１５は、遊技盤１５を前面枠１４に対して着脱するとき、４つの指掛け凹部２１，２２，２３，２４に指を掛けて、着脱することができるようになっているため、遊技盤１５が多少重くても、遊技盤１５上の遊技部品を損傷することなく、速やか、かつ容易に前面枠１４に対して着脱することができる。
【００２９】
なお、右下の指掛け凹部２１の指先受け入れ部２１ａに指先を入れて遊技盤１５を持つと、遊技盤１５を確実に持つことができ、前面枠１４に対しての遊技盤１５の着脱を容易に行える。
【００３０】
指掛け凹部２１，２２に設けてある開閉蓋としての蓋２６，２７は、遊技盤１５が指掛け凹部２１，２２によって美的外観を損なわないために設けてあるが、右側の蓋２６には、図２に示すように、指掛け凹部２１が形成されていることを明示する役目を兼ねた報知部としてのラベル３４を貼ってある。ラベル３４には、メーカー名、機種名等を記載してある。
【００３１】
なお、指掛け凹部２１は、指のみならず、工具を掛けることともできるようになっている。また、指掛け凹部２１に磁石を設けて、指掛け部に工具を掛けるとともにその磁石に工具を吸着させて遊技盤を持つようにしてもよい。この場合、工具が磁石によって指掛け部から外れることが少なく、遊技盤の落下防止に役立つ。
【図面の簡単な説明】
【００３２】
【図１】本発明の実施形態の遊技機としてのパチンコ機の概略正面図である。
【図２】図１のパチンコ機のガラス枠を開いたときのパチンコ機の外観斜視図である。
【図３】遊技盤を支持枠としての前面枠に組付けたときのパチンコ機の部分外観斜視図である。
【図４】着脱機構の外観斜視図である。
【図５】指掛け凹部の蓋を閉じたときの指掛け凹部周辺の部分斜視図である。
【図６】遊技盤を前面枠に着脱するときの動作説明用の図である。
【図７】図２中、Ａ−Ａ矢視断面図である。
【符号の説明】
【００３３】
１１      パチンコ機（遊技機）
１２      本体
１３      開閉体
１４      前面枠（支持枠）
１５      遊技盤
１５ａ    遊技盤の外周縁
１７      ガラス枠
１８      皿ユニット
１９      遊技面
１９ａ    遊技面の縁
２１      指掛け凹部（保持部）
２１ａ    指先受け入れ部
２２      指掛け凹部（保持部）
２３      指掛け凹部（保持部）
２４      指掛け凹部（保持部）
２５      非遊技領域（遊技面の縁と遊技盤の外周縁との間の領域）
２６      蓋（開閉蓋）
２７      蓋（開閉蓋）
３０      着脱機構（着脱手段）
３１      貫通孔
３２      回転軸
３３      ロック片
３４      ラベル（報知部）
【図１】
2005245769.tif 000003
【図２】
2005245769.tif 000004
【図３】
2005245769.tif 000005
【図４】
2005245769.tif 000006
【図５】
2005245769.tif 000007
【図６】
2005245769.tif 000008
【図７】
2005245769.tif 000009